(57)【特許請求の範囲】
【請求項１】
所定形状の底壁の周縁に側壁を立設して上方を開放したネックピースアッパーと、このネックピースアッパーの底壁に立設された支持軸と、この支持軸に軸支された首振り角度調節用レバーと、ネックピースアッパーの上方開放部を閉蓋するとともにネックピースアッパーの底壁との間でレバーを回動可能に介挿するプレートと、一方端部が扇風機の頭部に装着され他方端部がレバーに装着された首振り用リンクとを備えてなり、
レバーの上面に上方へ開口した略半球状凹所が設けられ、プレートに複数の係合穴が設けられ、この凹所に鋼球がその上半部を突出させた状態に嵌め込まれており、レバーの回動操作時に前記鋼球の頂部がプレート下面を摺動して前記係合穴に係合することでレバーを複数の所定位置に保持するように構成され、
さらに、前記凹所から前記支持軸側へ寄った位置でレバーをネックピースアッパーの底壁により支持するとともに、この支持点のレバー操作端側部分ではレバーの下面とネックピースアッパーの底壁との間に空間を形成する支持部が設けられていることを特徴とする扇風機の首振り角度調節装置。
【請求項２】
前記プレートは、両側縁のうちレバー操作端側部分を上下方向に固定せず支持軸側部分のみを上下方向に固定したことを特徴とする請求項１に記載の扇風機の首振り角度調節装置。
【請求項３】
前記支持部は、レバーの下面から突出する突出部により形成されていることを特徴とする請求項１または２に記載の扇風機の首振り角度調節装置。
【請求項４】
前記支持部は、ネックピースアッパーの底壁から突出する突出部により形成されていることを特徴とする請求項１または２に記載の扇風機の首振り角度調節装置。
【請求項５】
前記突出部は、平面形状を長方形として、その突出高さを、前記支持点と前記鋼球との距離が、レバーの回動操作によって、より小さくなる位置ではより低く設定し、より大きくなる位置ではより高く設定したことを特徴とする請求項４に記載の扇風機の首振り角度調節装置。
【請求項６】
前記レバーおよび前記ネックピースアッパーは、プラスチック一体成形により構成され、前記プレートは、金属板から構成されていることを特徴とする請求項１〜５のいずれか１つに記載の扇風機の首振り角度調節装置。
【発明の詳細な説明】
【０００１】
【発明の属する技術分野】
本発明は、扇風機の首振り角度調節装置に関するものでる。
【０００２】
【従来の技術】
従来の扇風機の首振り角度調節装置は、図１３〜図１７に示すように、首振り角度調節用レバー１０５が、ネックピース１０２の内部に立設された支持軸１０４に軸支され、使用者がこのレバー１０５を手で回動させて選択した所定位置に置くことで、扇風機１００の首振り角度が複数段に切り換えられるように構成されている。
【０００３】
これをさらに具体的に説明する。ネックピース１０２は、支柱１１５の上端部に取り付けられて扇風機１００の頭部１０１を上下回動可能に軸支するネックピースロアー１１６と、ネックピースロアー１１６の上に配置された、略船形状に上方が開放されているネックピースアッパー１０３とから主として構成されている（図１３参照）。
【０００４】
そして、首振り角度調節装置は、ネックピースアッパー１０３（図１４参照）と、ネックピースアッパー１０３の底壁１０３ｇに立設された支持軸１０４（図１４参照）と、支持軸１０４に軸支される首振り角度調節用レバー１０５（図１５参照）と、ネックピースアッパー１０３の上部開口部を閉蓋するとともに、底壁１０３ｇとの間にレバー１０５を回動可能に介挿するように装着したプレート１０６（図１７参照）と、一方端部が頭部１０１に装着され他方端部がレバー１０５に装着された首振り用リンク（図示略）とから構成されている。
【０００５】
レバー１０５は、その全体形状が図１５および図１６に示すようなものであり、その長さの略中間部には、ねじ穴１０４ａを有する支持軸１０４に嵌められて軸支される軸支部１２０が設けられている。１２１は、軸支部１２０から所定幅で延出されているレバー本体部であり、レバー本体部１２１の上面における長さ中間部には、上方へ開口した略半球状凹所１０５ａが設けられている。この凹所１０５ａには、鋼球１０７が上半部を突出させた状態に嵌め込まれている。レバー本体部１２１の下面には、凹所１０５ａの真下に突出部１０５ｂが設けられている。突出部１０５ｂは、レバー１０５の回動操作時にネックピースアッパー１０３の底壁１０３ｇに当接した状態で摺動するレバー１０５の支持部である。
【０００６】
図１７に示すように、プレート１０６には、レバー１０５の回動操作に伴い鋼球１０７の係合する３つの穴１０８、１０９、１１０が設けられている。そして、レバー１０５の凹所１０５ａに嵌め込まれた鋼球１０７をプレート１０６における３つの穴１０８、１０９、１１０のいずれかに係合させることで、扇風機１００の首振り角度を所望のもの（例えば４０度、６０度および８０度のうちの１つ）に設定することができるようになっている。プレート１０６には、支持軸１０４に対応する位置にねじ穴を有する固定部１１１が形成されている。
【０００７】
プレート１０６の取り付けは、以下のようにして行う。まず、レバー１０５を軸支部１２０でネックピースアッパー１０３の支持軸１０４に嵌める。その後、プレート１０６の一方側縁（固定部１１１に近い方の側縁）の下面の一部を、ネックピースアッパー１０３の一方側壁に内方突出状に一体形成された第１載置部１０３ａおよび第２載置部１０３ｂに載置し、プレート１０６の他方側縁の下面の一部を、ネックピースアッパー１０３の他方側壁に内方突出状に一体形成された第３載置部１０３ｃおよび第４載置部１０３ｄに載置する。次いで、図１６および図１８に示すように、プレート１０６の一方側縁の大部分を、ネックピースアッパー１０３の一方側壁の上縁に内方突出状に一体形成された係合用爪部１０３ｅの下側へ入れて爪部１０３ｅに係合させ、プレート１０６の他方側縁の大部分を、ネックピースアッパー１０３の他方側壁の上縁に内方突出状に一体形成された係合用爪部１０３ｆの下側へ入れて爪部１０３ｆに係合させる。最後に、プレート１０６の固定部１１１のねじ穴を支持軸１０４のねじ穴１０４ａに一致させ、ねじ部材１１２により支持軸１０４に取り付ける。以上のようにして、図１７に示すような首振り角度調節装置が得られる。
【０００８】
前記従来の首振り角度調節装置は、鋼球１０７がプレート１０６の３つの穴１０８、１０９、１１０の間を移動するときには、鋼球１０７の頂部がプレート１０６の下面に接触しながら移動し、図１８に示すように、鋼球１０７が穴１０８、１０９、１１０のいずれかの位置に来たときは、鋼球１０７の頂部が穴１０８、１０９、１１０のいずれかに係合することにより、所望の首振り角度に設定しようとしたものである。従って、レバー１０５とプレート１０６との間の寸法は、鋼球１０７が穴１０８、１０９、１１０の間にあるときと、鋼球１０７が穴１０８、１０９、１１０のいずれかの位置にあるときとで、変化させる必要がある。前記従来の首振り角度調節装置は、プレート１０６が上方へ撓むことにより、レバー１０５とプレート１０６との間の寸法の調整を行い、レバー１０５を所定角度位置に選択的に回動可能に、かつ、レバー１０５を所定角度位置に選択的に保持可能としたものである。
【０００９】
なお、前記従来の首振り角度調節装置は、それ以前の首振り角度調節装置に採用されていた構造、つまり、レバー１０５の凹所１０５ａに鋼球１０７を上方へ付勢するための圧縮コイルばねを嵌め込んだ構造を改良したもので、圧縮コイルばねを不要とすることにより、コスト削減を図ったものである。
【００１０】
【発明が解決しようとする課題】
しかしながら、この従来の首振り角度調節装置にあっては、鋼球１０７とプレート１０６との間に大きな抵抗ができ、レバー１０５を回動させる操作力が大きくなる欠点があった。すなわち、レバー１０５の突出部１０５ｂは、鋼球１０７に働く力を直接受けるために凹所１０５ａの真下に設けられており（図１５および図１６参照）、レバー１０５の所定位置への回動はプレート１０６を撓ませることにより行われているが、プレート１０６は、両側縁が略全体にわたり上方への移動が規制されているため、特にプレート１０６が上方へ撓みまたは移動しにくい構造となっていた。このため、それ以前の首振り角度調節装置に比べて、レバー１０５とプレート１０６との摩擦力が大きくなってレバー操作力が大きくなり、レバー１０５をスムーズに動かすことができず、特に、プレート１０６における３つの穴１０８、１０９、１１０のうち中間の穴１０９がある位置でレバー１０５の回動を止めることがやや困難であった。
【００１１】
本発明は、このような実情に鑑みてなされたものであり、その課題は、レバーの回動操作を大きな操作力によることなくスムーズに行うことのできる扇風機の首振り角度調節装置を提供することにある。
【００１２】
【課題を解決するための手段】
本発明によれば、所定形状の底壁の周縁に側壁を立設して上方を開放したネックピースアッパーと、このネックピースアッパーの底壁に立設された支持軸と、この支持軸に軸支された首振り角度調節用レバーと、ネックピースアッパーの上方開放部を閉蓋するとともにネックピースアッパーの底壁との間でレバーを回動可能に介挿するプレートと、一方端部が扇風機の頭部に装着され他方端部がレバーに装着された首振り用リンクとを備えてなり、レバーの上面に上方へ開口した略半球状凹所が設けられ、プレートに複数の係合穴が設けられ、この凹所に鋼球がその上半部を突出させた状態に嵌め込まれており、レバーの回動操作時に前記鋼球の頂部がプレート下面を摺動して前記係合穴に係合することでレバーを複数の所定位置に保持するように構成され、さらに、前記凹所から前記支持軸側へ寄った位置でレバーをネックピースアッパーの底壁により支持するとともに、この支持点のレバー操作端側部分ではレバーの下面とネックピースアッパーの底壁との間に空間を形成する支持部が設けられていることを特徴とする扇風機の首振り角度調節装置首振り角度調節装置が提供される。
【００１３】
本発明に係る扇風機の首振り角度調節装置はこのように構成されているので、レバーとプレートとの間の寸法調整を、従来と同様にプレートを上方へ撓ませることと、レバーの凹所と突出部との間に距離を設けてレバーを下方へ撓みやすくしたこととの両方で行うことにより、より大きい寸法調整代を確保することができ、レバーの回動操作を大きな操作力によることなくスムーズに行うことが可能になる。
【００１４】
本発明に係る扇風機の首振り角度調節装置の前記プレートは、両側縁のうちレバー操作端側部分を上下方向に固定せず支持軸側部分のみを上下方向に固定するように構成することができる。
【００１５】
このように構成することで、プレートの両側縁は、それらのレバー操作端側部分（前側部分）、つまり係合穴のある部分が上方へ撓みやすくなり、プレートとレバーとの間の寸法調整代をより大きくすることができる。
【００１６】
本発明に係る扇風機の首振り角度調節装置は、前記支持部を、レバーの下面から突出する突出部により形成することができる。前記支持部をこのように形成すれば、支持部の形状を簡単なものにすることができるのでその製造が容易になる上、レバーがどのような回動位置にあっても、レバーの撓みの程度が一定になり、安定したレバー回動操作が確保される。なお、この突出部は、支持に必要な適宜の形状にすることができる。
【００１７】
本発明に係る扇風機の首振り角度調節装置は、前記支持部を、ネックピースアッパーの底壁から突出する突出部により形成することもできる。前記支持部をこのように形成すれば、レバーの下面を平坦にすることができるので、撓み力によりレバーに応力集中を起こすことがなく、レバーの寿命が長くなる。
【００１８】
本発明に係る扇風機の首振り角度調節装置は、前記突出部が、平面形状を長方形として、突出高さを、前記支持点と前記鋼球との距離が、レバーの回動操作によって、より小さくなる位置ではより低く設定し、より大きくなる位置ではより高く設定するようにしてもよい。
【００１９】
前記突出部の突出高さをこのように設定すれば、前記距離がより小さいレバー回動位置における操作力（撓み応力）と前記距離がより大きいレバー回動位置における操作力（撓み応力）との差異を少なくすることが可能になるので、前記支持部をネックピースアッパー側に設けた場合において、レバー回動位置に関わらず操作力をほとんど変えることなくレバーの回動操作をすることができる。従って、この突出部の平面形状を、簡単な形状、例えば、ネックピースの底壁の一方側壁寄り位置と他方側壁寄り位置との間に延びる長方形に設定することが可能になる。
【００２０】
なお、この突出部の高低差を付ける位置および高低差の程度は、レバーやプレートの材料や強度、プレートの係合穴の数や位置などに応じて、適宜変えることができる。
【００２１】
本発明に係る扇風機の首振り角度調節装置は、レバーおよびネックピースアッパーを、プラスチック一体成形により構成し、プレートを、金属板から構成してもよい。このように構成すれば、複雑な形状のレバーおよびネックピースアッパーを簡単に得ることができる上、プレートの板厚を調整することで、必要な弾性撓みを確保することができる。
【００２２】
【発明の実施の形態】
以下、本発明に係る２つの実施の形態を図面に基づいて説明する。なお、これらによって本発明が限定されるものではない。
【００２３】
実施の形態１
図１〜図５に示すように、本発明の実施の形態１に係る扇風機の首振り角度調節装置Ｄ1は、首振り角度調節用レバー６が、ネックピース３の内部に立設された支持軸５に軸支され、使用者がこのレバー６を手で回動させて選択した所定位置に置くことで、扇風機１の首振り角度が複数段に切り換えられるように構成されている。
【００２４】
以下、これをさらに詳しく説明する。ネックピース３は、支柱３１の上端部に取り付けられて扇風機１の頭部２を上下回動可能に軸支するネックピースロアー７と、ネックピースロアー７の上に載置された、略船形状に上方が開放されているネックピースアッパー４とから主として構成されている（図１参照）。
【００２５】
そして、首振り角度調節装置Ｄ1は、ネックピースアッパー４（図２参照）と、ネックピースアッパー４の内部に立設された、中心部にねじ穴５ａを有する支持軸５（同上）と、支持軸５に略水平回動可能に軸支される首振り角度調節用レバー６（図３ａおよび図３ｂ参照）と、ネックピースアッパー４の上部を閉蓋するとともに、ネックピースアッパー４の底壁１５との間にレバー６を回動可能に介挿するプレート８（図４参照）と、一方端部が扇風機１の頭部２に装着され他方端部がレバー６に装着された首振り用リンク（図示略）とから構成されている。
【００２６】
レバー６は、プラスチック一体成形品であり、特に図３ａおよび図３ｂに示すように、その長さの略中間部には、支持軸５に嵌められて軸支される軸支部２０が設けられている。２１は、軸支部２０から延出状に一体成形されたレバー本体部であり、このレバー本体部２１の上面における長さ中間部には、係合部としての、上方へ開口した略半球状凹所２２が設けられている。凹所２２には、プレート８の下面で摺動するように配置されるステンレス鋼球２３が、略半分ほど没した状態に嵌め込まれるようになっている。
【００２７】
レバー本体部２１の下面には、凹所２２の真下から支持軸５の側へ所定距離だけ離れた箇所をネックピースアッパー４の底壁１５上面で支持するとともに、この支持点よりもレバー本体部２１の操作端側へ寄ったレバー本体部２１の操作端側箇所とネックピースアッパー４の底壁１５との間に空間を形成するレバー支持部としての突出部２４が設けられている。すなわち、突出部２４は、レバー６の回動操作時にネックピースアッパー４の底壁１５に当接した状態で摺動するレバー６の支持部である。レバー本体部２１を以上のように構成したことにより、凹所２２と突出部２４（支持点）との間には、従来とは異なり、所定距離が確保されている。
【００２８】
ネックピースアッパー４は、プラスチック一体成形品であり、特に図２に示すように、支持軸５に近い方の側壁である一方側壁９の中間部分が、縦に延びる２つのスリット３０、３０により中間壁３１とされるとともに、中間壁３１の上縁に係合用爪部３１ａが内方突出状に一体形成されている。この爪部３１ａは、図５の実線に示すように、傾斜部３１ａ−１と、傾斜部３１ａ−１に連なる垂直部３１ａ−２とからなるものである。また、一方側壁９には、中間壁３１の両側にそれぞれ第１載置部１１および第２載置部１２が内方突出状に一体形成されている。他方側壁１０には、第３載置部１３および第４載置部１４が内方突出状に一体形成されている。他方側壁１０の上縁には、側壁１０の支持軸側の略半分にわたって延びる係合用爪部１０ａが内方突出状に一体形成されている。一方側壁９の爪部３１ａおよび他方側壁１０の爪部１０ａは、プレート８の一方側縁および他方側縁の対応箇所における上方への移動を規制するように作用する。
【００２９】
さらに、一方側壁９の前側端部には、内方突出状に一体形成された第１ストッパー部２５が設けられている。他方側壁１０の前側端部には、内方突出状に一体形成された第２ストッパー部２６が設けられている。第１ストッパー部２５および第２ストッパー部２６は、レバー６を回動させたときに、レバー本体部２１の側面がこれらに当接することで、レバー本体部２１の所定範囲を超える回動を阻止するように作用する。
【００３０】
プレート８は、ステンレス鋼板から形成されており、特に図４に示すように、ネックピースアッパー４の支持軸５に対応する位置に固定部１６が一体形成されている。固定部１６にはねじ穴１６ａが設けられている。
【００３１】
プレート８の取り付けは、次のようにして行う。まず、レバー６を軸支部２０でネックピースアッパー４の支持軸５に嵌める。次に、プレート８の他方側縁（固定部１６から遠い方の側縁）をネックピースアッパー４の第３載置部１３および第４載置部１４に載置する。その後、プレート８の一方側縁をネックピースアッパー４の第１載置部１１および第２載置部１２に載置するように上方から押し込む。すると、図５の破線に示すように、プレート８の一方側縁によりネックピースアッパー４の中間壁３１の傾斜部３１ａ−１が下方へ押される。この状態でプレート８を押し込むと、プレート８の一方側縁のうち中間壁３１の傾斜部３１ａ−１に当接している部分が傾斜部３１ａ−１を滑り降りるので、中間壁３１の上部は外方向へ弾性変形する。プレート８をさらに押し込むと、傾斜部３１ａ−１に当接していたプレート８の一方側縁が下がり、垂直部３１ａ−２を通過する。すると、中間壁３１の上部が実線位置へ弾性的に戻るので、プレート８は、第１載置部１１および第２載置部１２に載置された状態で所定位置を占めることになる。このとき、プレート８の他方側縁の支持軸側部分は、ネックピースアッパー４の爪部１０ａの下側へ入り込んだ状態で爪部１０ａに係合している。最後に、プレート８の固定部１６のねじ穴１６ａをネックピースアッパー４の支持軸５のねじ穴５ａに一致させ、ねじ部材２８（図５参照）により支持軸５に取り付ける。以上のようにして、図６に示すような首振り角度調節装置Ｄ1が得られる。
【００３２】
プレート８には、３つの係合穴１７、１８、１９が貫通状に設けられている（図４参照）。これらの穴１７、１８、１９は、固定部１６のねじ穴１６ａの中心を中心とする円弧の上に設けられている。そして、図７に示すように、鋼球２３がプレート８の３つの穴１７、１８、１９の間を移動するときには、鋼球２３の頂部がプレート８の下面に接触しながら移動する。このとき、プレート８の両側縁のうちレバー操作端側部分は、前記のように上下方向に固定されていないので、図７の上向き矢印に示すように、鋼球２３の頂部により押されて容易に上方へ撓んで移動する。また、レバー６の凹所２２（鋼球２３の部分）と突出部２４との間には、レバー６の長さ方向において所定距離が設けられているので、レバー６は、鋼球２３がプレート８の３つの穴１７、１８、１９の間を移動するときには、図７の下向き矢印に示すように、突出部２４の下端を支点にして下方へ撓む。そして、鋼球２３が穴１７、１８、１９のいずれかの位置に来たときは、図８に示すように、鋼球２３の頂部が穴１７、１８、１９のいずれかに係合し、レバー６は自然体の形状に復帰する。
【００３３】
以上のように、鋼球２３が、プレート８の一方側縁寄りの穴１７に係合したときに、レバー６に装着された首振り用リンクによる首振り角度が最大（例えば８０度）になり、中間の穴１８に係合したときに首振り角度が中間（例えば６０度）になり、他方側縁寄りの穴１９に係合したときによる首振り角度が最小（例えば４０度）になる。
【００３４】
この首振り角度調節装置Ｄ1にあっては、レバー６とプレート８との間の寸法調整を、従来と同様にプレート８を上方へ撓ませることと、レバー６の凹所２２と突出部２４とをレバー６の長さ方向において所定寸法離して設け、レバー６を下方へ撓みやすくしたこととの両方で行っている。これレバー６により、より大きい寸法調整代を確保することができ、レバー６の回動操作を大きな操作力によることなくスムーズに行うことが可能になる。
【００３５】
また、レバー６の下面に設けた突出部２４が簡単な構成であることからレバー６の形状が簡単であるので、その製造が容易になる上、レバー６がどのような回動位置にあっても、レバー６の撓みの程度が一定になり、安定したレバー回動操作が確保される。
【００３６】
さらに、この首振り角度調節装置Ｄ1にあっては、レバー６およびネックピースアッパー４をプラスチック一体成形により構成し、プレート８を金属板から構成したので、複雑な形状のレバー６およびネックピースアッパー４を簡単に得ることができる上、プレート６の板厚を調整することで、必要な弾性撓みを確保することができる。
【００３７】
実施の形態２
本発明の実施の形態２は、支持部としての突出部を、ネックピースアッパー側に設けたものである。以下、この点を図９〜図１０ｂにより、さらに詳しく説明する。なお、これらの図面において実施の形態１と実質的に同一の部分には同一の符号を付して、その説明を省略する。
【００３８】
ネックピースアッパー４Ａの底壁１５のうち支持軸５へ寄った箇所には、一方側壁３０の近くから他方側壁１０の近くまで延びる、支持部としての突出部６０が設けられている（図９参照）。突出部６０は、平面形状が長方形であり、一定の幅を有している。突出部６０の長さは、少なくともレバー本体部２１の回動角度に対応した長さがあればよいが、ネックピースアッパー４Ａの底壁１５の幅いっぱいでもよい。
【００３９】
レバー６Ａにおけるレバー本体部２１の下面は、首振り角度調節装置Ｄ1における突出部２４や、これに類するものは設けられておらず、平坦に構成されている（図１０ａおよび図１０ｂ参照）。
【００４０】
突出部６０は、レバー６Ａの回動操作時にレバー本体部２１の下面の一部がネックピースアッパー４Ａの底壁１５に当接した状態で摺動するレバー６Ａの支持部である。このような突出部６０が設けられていることで、レバー本体部２１は、凹所２２に嵌められてプレート８の下面を摺動する鋼球２３からの力を受けて、突出部６０との当接箇所を支持点として下方へ撓むことで、プレート８との間隔調整が行われ、スムーズに動く。この点に関して、以下に、より詳しく説明する。
【００４１】
突出部６０は、一方側壁９に近い一方端部から長さの約７０％の位置までの部分（一方端部側部分）が同じ突出高さに設定されており、同位置から他方側壁１０に近い他方端部までの部分（他方端部側部分）が、一方端部側部分から徐々に下り傾斜を付けられて次第に低くなるように設定されている。これは次のような理由によるものである。
【００４２】
実施の形態１に係る首振り角度調節装置Ｄ1にあっては、レバー６の回動操作によって凹所２２あるいは鋼球２３と突出部２４との距離が変化することはないが、この実施の形態２に係る首振り角度調節装置にあっては、突出部６０が、前記のようにネックピースアッパー４Ａの底壁１５に平面形状が長方形になるように設けられているため、凹所２２あるいは鋼球２３と突出部６０との距離が、突出部６０の他方端部側部分では一方端部側部分よりも短くなり、レバー６Ａの撓みが、突出部６０の他方端部側部分では一方端部側部分に比べて悪くなるという問題があることから、突出部６０の突出高さに差を設けて、このような問題を解消したのである。
【００４３】
突出部６０の突出高さをこのように設定した首振り角度調節装置にあっては、図１１に示すように、鋼球２３がプレート８の３つの穴１７、１８、１９の間を移動するときには、鋼球２３の頂部がプレート８の下面に接触しながら移動する。このとき、プレート８の両側縁のうちレバー操作端側部分は、前記のように上下方向に固定されていないので、図１１の上向き矢印に示すように、鋼球２３の頂部により押されて容易に上方へ撓んで移動する。また、レバー６Ａの凹所２２（鋼球２３の部分）と突出部６０との間には、レバー６Ａの長さ方向において所定距離が設けられているので、レバー６Ａは、鋼球２３がプレート８の３つの穴１７、１８、１９の間を移動するときには、図１１の下向き矢印に示すように、突出部６０とレバー６Ａとの当接部分を支持点にして下方へ撓む。そして、鋼球２３が穴１７、１８、１９のいずれかの位置に来たときは、図１２に示すように、鋼球２３の頂部が穴１７、１８、１９のいずれかに係合し、レバー６は自然体の形状に復帰する。なお、このような突出部６０を設けないときには、突出部の平面形状を、前記支持点の回動軌跡である所定中心角の円弧の両側に延びる平行な２つの円弧を有している扇形に設定するのが好ましい。
【００４４】
以上のように、実施の形態２に係る首振り角度調節装置にあっても、レバー６Ａとプレート８との間の寸法調整を、従来と同様にプレート８を上方へ撓ませることと、レバー６Ａの凹所２２とネックピースアッパー４Ａの突出部６０との間に所定距離を設けてレバー６Ａを下方へ撓みやすくしたこととの両方で行うことにより、より大きい寸法調整代を確保することができ、レバー６Ａの回動操作を大きな操作力によることなくスムーズに行うことが可能になる。
【００４５】
【発明の効果】
請求項１に係る扇風機の首振り角度調節装置によれば、レバーの凹所から前記支持軸側へ寄った位置でレバーをネックピースアッパーの底壁で支持するとともに、この支持点のレバー操作端側部分ではレバーとネックピースアッパーの底壁との間に空間を形成する支持部が設けられているので、レバーとプレートとの間の寸法調整を、従来と同様にプレートを上方へ撓ませることと、レバーの凹所と突出部との間に所定距離を設けてレバーを下方へ撓みやすくしたこととの両方で行うことにより、より大きい寸法調整代を確保することができ、レバーの回動操作を大きな操作力によることなくスムーズに行うことが可能になる。
【００４６】
請求項２に係る扇風機の首振り角度調節装置によれば、プレートは、両側縁のうちレバー操作端側部分を上下方向に固定せず支持軸側部分のみを上下方向に固定しているので、プレートの両側縁は反支持軸側部分、つまり係合穴のある部分が上方へ撓みやすくなり、プレートとレバーとの間の寸法調整代をより大きくすることができる。
【００４７】
請求項３に係る扇風機の首振り角度調節装置によれば、支持部は、レバーの下面から突出する突出部により形成されているので、レバーの形状が簡単でありその製造が容易になる上、レバーがどのような回動位置にあっても、レバーの撓みの程度が一定になり、安定したレバー回動操作が確保される。
【００４８】
請求項４に係る扇風機の首振り角度調節装置によれば、支持部は、ネックピースアッパーの底壁から突出する突出部により形成されているので、レバーの下面を平坦にすることができ、撓み力に対し応力集中を起こすことがなく、レバーの寿命が長くなる。
【００４９】
請求項５に係る扇風機の首振り角度調節装置によれば、突出部は、平面形状を長方形として、その突出高さを、前記支持点と前記鋼球との距離が、レバーの回動操作によって、より小さくなる位置ではより低く設定し、より大きくなる位置ではより高く設定したので、前記距離がより小さいレバー回動位置における操作力と前記距離がより大きいレバー回動位置における操作力との差異を少なくすることが可能になり、前記支持部をネックピースアッパー側に設けた場合において、レバー回動位置に関わらず操作力をほとんど変えることなくレバーの回動操作をすることができ、従って、この突出部の平面形状を、簡単な形状に設定することが可能になる。
【００５０】
請求項６に係る扇風機の首振り角度調節装置によれば、レバーおよびネックピースアッパーはプラスチック一体成形により構成され、プレートは金属板から構成されているので、複雑な形状のレバーおよびネックピースアッパーを簡単に得ることができる上、プレートの板厚を調整することで、必要な弾性撓みを確保することができる。
【図面の簡単な説明】
【図１】図１は、本発明の実施の形態１に係る首振り角度調節装置が組み込まれた扇風機の要部拡大側面図である。
【図２】図２は、図１の首振り角度調節装置の一部を構成するネックピースアッパーの斜視図である。
【図３】図３ａは、図１の首振り角度調節装置の一部を構成する首振り角度調節用レバーの斜視図である。図３ｂは、図３ａのレバーの正面図である。
【図４】図４は、図１の首振り角度調節装置の一部を構成するプレートの斜視図である。
【図５】図５は、図２のネックピースアッパーへのプレートの取付方法の一部を示す断面図である。
【図６】図６は、図１の首振り角度調節装置の斜視図である。
【図７】図７は、図１の首振り角度調節装置の機能を説明する断面図である。
【図８】図８は、図１の首振り角度調節装置の機能を説明する断面図である。
【図９】図９は、本発明の実施の形態２に係る首振り角度調節装置の一部を構成するネックピースアッパーの斜視図である。
【図１０】図１０ａは、図９の首振り角度調節装置の一部を構成するレバーの斜視図である。図１０ｂは、図１０ａのレバーの正面図である。
【図１１】図１１は、図８の首振り角度調節装置の機能を説明する断面図である。
【図１２】図１２は、図８の首振り角度調節装置の機能を説明する断面図である。
【図１３】図１３は、従来の首振り角度調節装置が組み込まれた扇風機の要部拡大側面図である。
【図１４】図１４は、図１３の首振り角度調節装置の一部を構成するネックピースアッパーの斜視図である。
【図１５】図１５は、図１３の首振り角度調節装置の一部を構成する首振り角度調節用レバーの斜視図である。
【図１６】図１６は、図１５のレバーの正面図である。
【図１７】図１７は、図１３の首振り角度調節装置の斜視図である。
【図１８】図１８は、図１３の首振り角度調節装置の機能を説明する断面図である。
【符号の説明】
１    扇風機
２    頭部
４    ネックピースアッパー
４Ａ  ネックピースアッパー
５    支持軸
６    首振り角度調節用レバー
６Ａ  首振り角度調節用レバー
８    プレート
９    一方側壁
１０    他方側壁
１１    第１載置部
１２    第２載置部
１３    第３載置部
１４    第４載置部
１５    底壁
１６    固定部
１７    係合穴
１８    係合穴
１９    係合穴
２０    軸支部
２１    レバー本体部
２２    凹所
２３    鋼球
２４    突出部
６０    突出部
【図１】
0004651248.tif 000002
【図２】
0004651248.tif 000003
【図３】
0004651248.tif 000004
【図４】
0004651248.tif 000005
【図５】
0004651248.tif 000006
【図６】
0004651248.tif 000007
【図７】
0004651248.tif 000008
【図８】
0004651248.tif 000009
【図９】
0004651248.tif 000010
【図１０】
0004651248.tif 000011
【図１１】
0004651248.tif 000012
【図１２】
0004651248.tif 000013
【図１３】
0004651248.tif 000014
【図１４】
0004651248.tif 000015
【図１５】
0004651248.tif 000016
【図１６】
0004651248.tif 000017
【図１７】
0004651248.tif 000018
【図１８】
0004651248.tif 000019